(57)【要約】【課題】洗浄対象物が顔の場合、従来はスチームを顔面に噴霧する方式であり洗浄が不十分であり、毛穴の奥に入り込んだ汚れは十分落とせるものではない。またマサージも顔面にパッドを当てがうだけでは効果はあまり期待できない問題点を克服するために、顔の肌の汚れや皮脂を落として細胞を活性化するコンパクト機構で低コストの洗浄器を提供する。【解決手段】  洗浄器１００は、入出口１０を有する回転部歯車６、歯車７と、該回転部を回転させる駆動部モータ５と、前記入出口１０に流体を供給する流体供給部（圧力タンク４、シリンダーポンプ３、操作レバー１、中間通水路１３、トルマリンユニット２、通水路９）と、から構成されており、前記回転部が回転しながら入出口１０から流体を噴出する。【選択図】図２
2007330750.tif 000002
【特許請求の範囲】
【請求項１】
摺動部と、該摺動部を駆動する駆動部と、流体が流入または流出する入出口と、該入出口に流体を供給する流体供給部、又は、該入出口から流体を吸引する吸引部と、から構成され、前記摺動部を対象物に接触させながら前記入出口により対象物に流体を噴出、または吸引することを特徴とする洗浄器。
【請求項２】
流体が流入または流出する入出口と、該入出口に流体を供給する流体供給部、又は、該入出口から流体を吸引する吸引部と、から構成され、前記入出口により対象物に流体を噴出、または吸引することを特徴とする洗浄器。
【請求項３】
前記入出口を有する回転部と、該回転部を回転する駆動部と、前記入出口から流体を噴出する流体供給部、又は、前記入出口から流体を吸引する吸引部と、から構成され、前記回転部が回転しながら入出口から流体を噴出、又は、流体を吸引することを特徴とする請求項１に記載の洗浄器。
【請求項４】
前記入出口を有する振動部と、該振動部を振動する駆動部と、前記入出口から流体を噴出する流体供給部、又は、前記入出口から流体を吸引する吸引部と、から構成され、前記振動部が振動しながら入出口から流体を噴出、又は、流体を吸引することを特徴とする請求項１に記載の洗浄器。
【請求項５】
前記洗浄器内に電源とタンクが装備され、タンクを加圧または減圧して前記入出口から流体を噴出させ、又は、吸引部により前記入出口から流体を吸引してタンクに貯留することを特徴とする請求項１乃至４の内いずれか１項に記載の洗浄器。
【請求項６】
前記回転部又は振動部は、ノズル、ブラシ等のアタッチメントが取り付けられ、交換できることを特徴とする請求項１、または３乃至５の内いずれか１項に記載の洗浄器。
【請求項７】
前記流体供給部は、一部にトルマリン等鉱石粉末を封入したユニットを備え、流体供給時にユニットに流体を通過せしめることを特徴とする請求項１乃至６の内いずれか１項に記載の洗浄器。
【発明の詳細な説明】
【技術分野】
【０００１】  本発明は、洗浄する対象物に流体を噴出、又は、流体を吸引しながら回転や振動により汚れ等を落とす洗浄器に関している。
【背景技術】
【０００２】  本発明の洗浄器の洗浄対象物が顔面の場合について述べると、女性が化粧を落とす方法として、一般にクレージングクリームを用いることが多く毎日のように行われている。また、クレージングクリームは化粧を落とすと共に顔面の皮脂や毛穴に入り込んだ汚れを取り除くものであるが手洗いでは十分ではない。このために、月に何度か時間を掛けて洗顔パック等を行っている例がある。【０００３】  さらに、顔面の肌は常に露出し、化粧品を使用することから傷みや老化を生じやすく、これを抑える方法として、肌のマッサージ等を行っている。【０００４】  前記のような汚れや皮脂を落とす方法として、アルカリ水と酸性水を生成する電解槽と、取り出した生成水を加熱する加熱部を備え、始めにアルカリ水のスチームを顔面肌に当てて洗顔を行った後に酸性のスチームを肌に当ててマッサージを行う方法が提案されている。（例えば、特許文献１参照）【０００５】
【特許文献１】  特開平１０−３２８２６５号公報
【発明の開示】
【発明が解決しようとする課題】
【０００６】  しかし、従来例では、スチームを顔面の噴霧する方式であり洗浄が不十分であり、毛穴の奥に入り込んだ汚れは十分落とせるものではない。【０００７】  また、マサージも顔面にパッドを当てがうだけでは効果はあまり期待できない。【０００８】  また、水道水から蒸気を発生して噴霧する等の装置が大掛かりでコストが高くなってしまう。【０００９】  この発明は、上記課題を解決するためになされたもので、顔の肌の汚れや皮脂を落として細胞を活性化するコンパクト機構で低コストの洗浄器を提供することである。
また、顔面以外の対象物についても流体を噴出、又は吸引しながら回転や振動等を行い、対象物に擦り付けるコンパクト機構で低コストの洗浄器を提供できる。
【課題を解決するための手段】
【００１０】  本発明に係わる洗浄器は請求項１に記載のように、
摺動部と、該摺動部を駆動する駆動部と、流体が流入または流出する入出口と、該入出口に流体を供給する流体供給部、又は、該入出口から流体を吸引する吸引部と、から構成され、前記摺動部を対象物に接触させながら前記入出口により対象物に流体を噴出、または吸引することを特徴とする。【００１１】  また、請求項２に記載のように、
流体が流入または流出する入出口と、該入出口に流体を供給する流体供給部、又は、該入出口から流体を吸引する吸引部と、から構成され、前記入出口により対象物に流体を噴出、または吸引することを特徴とする。【００１２】  また、請求項３に記載のように、
前記入出口を有する回転部と、該回転部を回転する駆動部と、前記入出口から流体を噴出する流体供給部、又は、前記入出口から流体を吸引する吸引部と、から構成され、前記回転部が回転しながら入出口から流体を噴出、又は、流体を吸引することを特徴とする。【００１３】  また、請求項４に記載のように、
前記入出口を有する振動部と、該振動部を振動する駆動部と、前記入出口から流体を噴出する流体供給部、又は、前記入出口から流体を吸引する吸引部と、から構成され、前記振動部が振動しながら入出口から流体を噴出、又は、流体を吸引することを特徴とする。【００１４】  また、請求項５に記載のように、
前記洗浄器内に電源とタンクが装備され、タンクを加圧または減圧して前記入出口から流体を噴出させ、又は、吸引部により前記入出口から流体を吸引してタンクに貯留することを特徴とする。【００１５】  また、請求項６に記載のように、
前記回転部又は振動部は、ノズル、ブラシ等のアタッチメントが取り付けられ、交換できることを特徴とする。【００１６】  また、請求項７に記載のように、
前記流体供給部は、一部にトルマリン等鉱石粉末を封入したユニットを備え、流体供給時にユニットに流体を通過せしめることを特徴とする。
【発明の効果】
【００１７】  請求項１による発明の効果を説明する。
前記摺動部を洗浄対象物に接触させながら前記入出口により対象物に流体を噴出、または吸引して洗浄する。
対象物が顔面の場合、化粧を落とすと共に顔面の皮脂や毛穴に入り込んだ汚れを十分取り除くことができる。
また、対象物が壁、床等の場合、壁面を摺動部で擦りながら流体を注いだり、吸引したりするので壁、床にこびり付いた頑固な汚れでも良く取れる。【００１８】  請求項２による発明の効果を説明する。
対象物が壁等の場合に流体として洗浄液を使用する。
特に入出口から注水する洗浄液が強力の場合は、壁に注水するだけで汚れが浮き出て来る。
このような場合は摺動部を省き、浮き出した汚れを入出口からファン等により空気と共に吸引し、フィルター等で空気に中の汚水を除去するのが経済的である。【００１９】  請求項３による発明の効果を説明する。
入出口を有する回転部が回転しながら入出口から流体を噴出、又は、流体を吸引して、回転部の中心から流体の噴出ができるので、洗浄の効率が良い。
洗浄対象物と回転部の間に流体膜ができて洗浄に寄与する。
また、入出口を絞ってやると流速が早くなり洗浄効果があがる。
ノズルとすると対象物に流体を均一に噴出することができる。
対象物が顔面の場合、回転により流体を巻き込み顔面を擦るので顔面の皮脂や毛穴に入り込んだ汚れを非常に良く取り除くことができる。
また、対象物が壁、床等の場合、壁面、床面に強く押し当て、回転しながら擦り、流体を注いたり、
吸引したりするので壁にこびり付いたしつこい汚れでも良く取れる。【００２０】  請求項４による発明の効果を説明する。
入出口を有する振動部が振動しながら入出口から流体を噴出し洗浄して、振動部の中心から流体の噴出ができるので、洗浄の効率が良い。
洗浄対象物と振動部の間に流体膜ができて洗浄に寄与する。
また、入出口を絞ってやると流速が早くなり洗浄効果があがる。
対象物が顔面の場合、振動により流体を巻き込み顔面を擦るので顔面の皮脂や毛穴に入り込んだ汚れを非常に良く取り除くことができる。
さらに顔面の接触面に振動して顔面マッサージを施すことができる。【００２１】  請求項５による発明の効果を説明する。
流体の貯蔵タンク、又は圧力タンクを加圧または減圧して入出口にタンクから流体を供給する、又は、入出口から流体を吸引してタンクに貯留する方式である。
ポンプ機構によりエアをタンク内に送給したり当該タンクのエア圧力を高めたりして、あるいは、タンクポンプ機構により加圧タンク内に流体を送給して当該加圧タンク内のエア圧を高める方式である。
流体供給部が廉価でコンパクト機構となる。【００２２】  前記洗浄器内に電源を装備しており、手操作にての流体供給と共に、駆動部の電源の入り切りも行える。
手操作でレバー等を動かすことでスウィッチが入り、対象物に流体を噴出しながら回転部を押し当て洗浄が同時にできる方式もとれる。
例えば対象物が顔面の場合、電源を入れて回転部を回転させながら、必要に応じて操作レバーを引いて顔面にタンクのクレージング水を少し注水し、回転部を顔面全体に移動させながら洗顔することができる。
操作が簡単で、携帯式として利用できる。【００２３】  また、例えば対象物がお風呂の壁等の場合、入出口を有する回転部を壁面に強く押し当  て、回転しながら擦る。
浮き出した水分を含んだ汚れを吸引部により入出口から吸引してタンクに貯留する。
掃除中に汚れが広がらない。
ふき取る手間が省ける。
タンクが一杯になったらスペヤーと交換して清掃の効率が上がる。【００２４】  請求項６による発明の効果を説明する。
回転部や振動部に噴霧ノズル、ブラシ等のアタッチメントを取り付け、交換できる。
対象物が顔面の場合に、柔らかいスポンジ等にクレージンフォームをつけて回転させながら顔面の押し当てることでブラシ等が泡立ちながら顔面をこするので、クレージングフォームで化粧を落とすと共に顔面の皮脂や毛穴に入り込んだ汚れを取り除くのに大きな効果を発揮する。このために、月に何度か時間を掛けて洗顔パック等を行う必要がない。
また、一定の間隔を存して複数の球面状突起を配設したアタッチメントを顔面に押し当て全体に移動させることにより、顔面マッサージの効果も得ることができる。【００２５】  対象物が台所の食器等の場合、強度を有する金属性のブラシを付けて回転部を壁面に押し付けると、内、外面の頑固な汚れが良く取れる。
また、噴出する流体に例えば強力洗浄液を使用すると更に効果があがる。【００２６】  請求項７による発明の効果を説明する。
トルマリン等鉱石粉末を封入したユニットを具備し、流体供給時にユニットに加圧し流体を通過させる。
トルマリン鉱石のマイナスイオン効果を発揮させる為には、圧力や摩擦等を結晶に加える必要があり、前記の機構によりトルマリン微粉末の封入ユニットに例えば水の水圧を掛けて通過させることで十分のマイナスイオンの流体を生成させることができる。
トルマリン鉱石によるマイナスイオン効果を持った流体を顔面に接触させることができ、マイナスイオン効果により顔面肌の血行増大と細胞の活性化を促し、殺菌機能と相まって潤いのある美しい健康的な肌を生み出す。
更に回転や振動する、一定の間隔を存して複数の球面状突起を配設したアタッチメント等で顔面をマッサージすることと併用することで更に顔面の皮膚の血行改善効果等を高めることができる。【００２７】  また、トルマリン鉱石はクラスター効果があるとされ水のクラスターが分解される。
水の分子が細分化され汚れ等が水に溶け込み易くなるので汚れが取れ易くなる。
【発明を実施するための最良の形態】
【００２８】  発明を実施するための最良の形態について説明する。
【実施例１】
【００２９】  図１は、洗浄器１００の外観図である。
アタッチメント８の中に図示しない入出口１０があり、操作レバー１を引くとアタッチメント８が回転しながら圧力タンク４の液体を噴出する。【００３０】  図２は、洗浄器１００の断面の説明図である。
入出口１０を有する回転部として、歯車７があり、該歯車７は歯車６を介して駆動部であるモータ５により回転する。
また、歯車７にはアタッチメント８が図示しないピンで噛合しており、歯車７の回転によりアタッチメント８も回転する。
ピン噛合のアタッチメント８は容易に取り外しができるので、噴霧ノズル、ブラシ、凸凹板等の色々のアタッチメントと交換できる。【００３１】  前記入出口に液体を供給する流体供給部は、圧力タンク４、シリンダーポンプ３、操作レバー１、中間通水路１３、トルマリンユニット２、通水路９から構成されている。
操作レバー１を引くとシリンダーポンプ３が摺動してポンプ機構によりエアを圧力タンク４内に送給して当該圧力タンク４のエア圧力が高くなり、圧力タンク４の液体が中間通水路１３を通りトルマリンユニット２に印加される。
トルマリンユニット２は、トルマリン微粉末の集積ユニットであり、圧力を掛けて通過させることで多量のマイナスイオンを生成する。
マイナスイオンの液体が通水路９を通り入出口１０に供給される。
なお、通水路９は回転部である歯車７の中を貫通しており、回転部が回転しながら注入することができる。【００３２】  また、手操作で操作レバー１を引くことによりスウィチ２９が押される。
電池ボックス１１の電池電源がケーブル１２を介して図示しない配線により通電してモータ５が駆動する。例えば、操作レバー１を引いて注水しそのままレバーを保持すると、通電したままになりモータ５が回転継続してアタッチメント８も回り続ける。【００３３】  図３は、トルマリンを封入したトルマリンユニット２の断面の説明図である。
圧力タンク４の加圧された液体が中間通水路１３を通りチャンバー１５に送り込まれトルマリン積層体１４に印加される。
チャンバー１５内の液体に内圧が掛かり、トルマリン積層体１４を印加しながら透過する。トルマリン積層体１４を通過した液体はトルマリンユニット外壁１６に沿って、通水路９に排出される。【００３４】  この実施例１では、
アタッチメント８が回転しながら入出口１０から液体を噴出する。
顔面を洗顔液で洗いながらスポンジ等のアタッチメントで摩擦するので化粧を落とすと共に顔面の皮脂や毛穴に入り込んだ汚れを取り除くのに大きな効果を発揮する。
また、トルマリン鉱石によるマイナスイオン効果を持った液体を顔面に接触させることができ、顔面肌の血行増大と細胞の活性化を促し、殺菌機能と相まって潤いのある美しい健康的な肌を生み出す。なお、トルマリンとは別の鉱石を使用して他の効果を得るようにしても良い。
女性はお風呂が長く本洗浄器を湯船で使用しているが、防水仕様によることにより有効に利用される。【００３５】  ところで入出口１０に液体を供給する液体供給部として、圧力タンク４、シリンダーポンプ３、操作レバー１、トルマリンユニット２、通水路９の構成としたが、シリンダーポンプ３の代わりに電動式ポンプとしても良い。
また、圧力タンク４の代わりに電動式ポンプでチューブ等により外部から液体を吸引する方式としても良い。
また、手操作で操作レバー１を引くことによりモータ５の電源が入る様にしたが、別のスウィチを設けてもモータ５を起動させても良い。
電池ボック１１の代わりに電源コードを設けて外部電源を利用しても良い。
【実施例２】
【００３６】  図４は、実施例２における洗浄器１００の断面の説明図である。
モータ５によりアタッチメント８を回転させる噴出口を有する回転部と、該回転部を回転させる駆動部等の機構は実施例１と同様である。【００３７】  前記入出口１０に気体を供給する気体供給部は、ファン１７と、図示しないモータと、操作レバー１、ダクト１８、トルマリンユニット２、通気路１９から構成されている。
操作レバー１を引くとスウィッチ２０が入り図示しないモータが起動してファン１７が回転する。
ファン１７によりエアがダクト１８通りトルマリンユニット２に送られる。
トルマリンユニット２は、トルマリン微粉末を封入した集積ユニットであり、圧力を掛けて通過させることで多量のマイナスイオンを生成する。
ファン１７によりエアがトルマリンユニット２に印加されてマイナスイオンの気体が通気路１９を通り入出口１０に供給される。【００３８】  なお、ファン１７を逆転させると入出口１０において気体の吸引力を得る。
入出口１０を回転させながらファン１７を正転してエアーを顔面に噴出して洗顔する。
また、ファン１７の正転と逆転による噴射と吸引の繰り返しにより、肌の皮脂除去及びマッサージを行う美顔器としても利用できる。
【実施例３】
【００３９】  図５は、実施例３における洗浄器１００の断面の説明図である。
入出口１０を振動させる振動機構としてモータ５、偏心部材２１がある。
入出口１０に液体を供給する液体供給部として、圧力タンク４、シリンダーポンプ３、操作レバー１、トルマリンユニット２、通水路９の構成は実施例１と同様である。【００４０】  図６は、振動機構の説明図である。
モータ５の回転軸２２に固定された偏心部材２１から構成され、回転軸２２の回転により偏心部材２１が回転し、スプリング２３が作用してフランジ２４に振動を付与するようにしている。
フランジ２４に円筒部材を介図示しないピン噛合によりアタッチメント８が接続している。
フランジ２４の振動がアッチメント８に伝わる。
なお振動機構として、モータ５、回転軸２２、偏心部材２１の変わりに超音波振動子を用いてフランジ２４に振動を付与する方式にしても良い。【００４１】  アタッチメント８が振動しながら入出口１０から液体を噴出する。
顔面を洗顔液等で洗いながらブラシ等のアタッチメント８の振動で摩擦するので化粧を落とすと共に顔面の皮脂や毛穴に入り込んだ汚れを取り除くのに大きな効果を発揮する。
また、振動によるマッサージ効果も期待できる。【００４２】  なお、本実施例３の振動機構では、振動方向が顔面に対して前後方向としたが、モータ５、回転軸２２、偏心部材２１の設置方向を変えて振動方向が顔面に対して上下、または左右方向になるようにすることもできる。
その場合に人が顔面を上下、または左右に擦る作用と同じになってより効果が出る。
【実施例４】
【００４３】  図７は、実施例４における洗浄器１００の断面の説明図である。
アタッチメント８を回転させる等の入出口１０を有する回転部と、該回転部を回転させるモータ５、及び噴出口１０に液体を供給する液体供給部として、圧力タンク４、シリンダーポンプ３、操作レバー１、通水路９の構成となっている。【００４４】  電源はコンセント２５から外部交流電力を取り込む。
交流電力はトランス２６によりＤＣ１２Ｖ、又はＤＣ２４Ｖ等に変換されて配線２７によりモータ５に供給される。
例えば壁面２８の汚れを取る場合、液体を供給するために操作レバー１を引くと電源のスウィッチ２９が入りアタッチメント８が回転する。【００４５】  壁面２８の汚れは頑固であり取れにくいので、アタッチメント８は強度を有する金属性のブラシ等が好ましい。
また、液体は強力洗浄液を使用するのが好ましく、圧力タンク４に注入する。
アタッチメント８を壁に強く押し当てながら操作レバー１を引いて洗浄液を注水し、回転や振動するので頑固な汚れも良く取れる。
なお、台所や洗面所等の汚れを取る場合は、アタッチメント８、および洗浄液は別のものを使うこともある。
【実施例５】
【００４６】  図８は、実施例５における洗浄器１００の断面の説明図である。
アタッチメント８を回転させる入出口１０を有する回転部と、該回転部を回転させるモータ５、及び入出口１０に液体を供給する液体供給部として、圧力タンク４、シリンダーポンプ３、操作レバー１、通水路９の構成は実施例４と同じある。
入出口１０から流体を吸入する吸入部として、排水路３１、ポンプ３０、排水路３２、貯留タンク３３、及びポンプ３０の起動用のスウィッチ３４の構成が追加されている。【００４７】  電源はコンセント２５から外部交流電力を取り込む。
交流電力はトランス２６によりＤＣ１２Ｖ、又はＤＣ２４Ｖ等に変換されて配線２７によりモータ５、ポンプ３０に供給される。
操作レバー１を引くと電源のスウィッチ２９が入り、モータ５が起動する。
スウィッチ３４を押すとポンプ３０が起動する。【００４８】  図９は、実施例５における洗浄器１００の先端部分の説明図である。
入出口１０を有する回転部として歯車７があり、該歯車７は歯車６を介して駆動部であるモータ５により回転する。
また、歯車７にはアタッチメント８が図示しないピンで噛合しており、歯車７の回転によりアタッチメント８も回転する。
入出口１０には、通水路９、及び排水路３１の先端が延びている。
アタッチメント８に金属性のワイヤーブラシ３５、圧力タンク４に強力洗浄液を注入する等は実施例４と同様である。
アタッチメント８を壁に強く押し当てながら通水路９から注水し、回転や振動させて汚れを浮き出させる。
スウィッチ３４を押してポンプ３０を起動し、浮き出した汚れを排水路３１の先端から吸引し、ポンプ３０、排水路３２を経て貯留タンク３３に入れ込む。
掃除中に汚れが広がらない。
ふき取る手間が省ける。
貯留タンク３３が一杯になったらスペヤーと交換して清掃の効率があがる。【００４９】  なお、入出口１０に液体を供給する液体供給部として、圧力タンク４、シリンダーポン  プ３、操作レバー１、通水路９の構成としたが、シリンダーポンプ３の代わりに電動式ポンプとしても良い。
また、吸引部としては、ポンプ３０の代わりにブロアー、バキューム等での吸い込む方式でも良い。
ここで、液体は水と記載していたが、それに限定することなく、例えば対象物が顔面の場合流体は洗顔液、対象物が壁等の場合の流体は洗浄液としてもよい。
【実施例６】
【００５０】  図１０は、実施例６における洗浄器１００の断面の説明図である。
入出口１０に液体を供給する流体供給部は、圧力タンク４、シリンダーポンプ３、操作レバー１、通水路９から構成されている。
入出口１０から流体を吸入する吸入部として、吸気路３８、ファン３６、貯留タンク３３、排気口３９及びファン３６の起動用のスウィッチ３４の構成が追加されている。【００５１】  操作レバー１を引くとシリンダーポンプ３が摺動してポンプ機構によりエアを圧力タンク４内に送給して当該圧力タンク４のエア圧力が高くなり、圧力タンク４の洗浄液等の液体が通水路９に供給される。
アタッチメント８を壁面２８に当てながら通水路９の先端から洗浄液を注水して汚れを浮き出させる。
スウィッチ３４を押してファン３６を起動し、浮き出した汚れを入出口１０から空気と共に吸引し、吸気路３８、ファン３６を経て排気口３９から排出する。
吸引された空気中の水分は、途中のフィルター３７により取り除かれ、落下して貯留タンク３３に入る。
貯留タンク３３は図示しない取り外し構造により取り外し、たまった汚水を捨てる。【００５２】  実施例６においては、実施例５のように、入出口１０は回転しない。
通水路９の先端から注水する洗浄液が強力の場合は、壁面２８を注水するだけで汚れが浮き出て来る。
このような場合は摺動部を省き、浮き出した汚れを入出口１０からファン３６により空気と共に吸引し、空気中の汚水を除去するのが経済的である。
【図面の簡単な説明】
【００５３】
【図１】  本発明の実施例１における、洗浄器１００の外観図である。
【図２】  洗浄器１００の断面の説明図である。
【図３】  トルマリンユニット２の断面の説明図である。
【図４】  実施例２における洗浄器１００の断面の説明図である。
【図５】  実施例３における洗浄器１００の断面の説明図である。
【図６】  振動機構の説明図である。
【図７】  実施例４における洗浄器１００の断面の説明図である。
【図８】  実施例５における洗浄器１００の断面の説明図である。
【図９】  実施例５における洗浄器１００の先端部分の説明図である。
【図１０】  実施例６における洗浄器１００の断面の説明図である。
【符号の説明】
【００５４】１        操作レバー
２        トルマリンユニット
３        シリンダーポンプ
４        圧力タンク
５        モータ
６        歯車
７        歯車
８        アタッチメント
９        通水路
１０      入出口
１１      電池ボックス
１２      ケーブル
１３      中間通水路
１４      トルマリン積層体
１５      チャンバー
１６      トルマリンユニット外壁
１７      ファン
１８      ダクト
１９      通気路
２０      スウィッチ
２１      偏心部材
２２      回転軸
２３      スプリング
２４      フランジ
２５      コンセント
２６      トランス
２７      配線
２８      壁
２９      スウィッチ
３０      ポンプ
３１      排水路
３２      排水路
３３      貯留タンク
３４      スウィッチ
３５      ワイヤーブラシ
３６      ファン
３７      フィルター
３８      吸気路
３９      排気口
【図１】
2007330750.tif 000003
【図２】
2007330750.tif 000004
【図３】
2007330750.tif 000005
【図４】
2007330750.tif 000006
【図５】
2007330750.tif 000007
【図６】
2007330750.tif 000008
【図７】
2007330750.tif 000009
【図８】
2007330750.tif 000010
【図９】
2007330750.tif 000011
【図１０】
2007330750.tif 000012